(57)【要約】【課題】コードブロック毎に再送要求する通信装置及び通信方法を提供する。【解決手段】本発明に係る通信装置１０１は、データを復号する通信装置１０１において、データを復号するための複数のコードブロックであって、誤り検出符号及びそれぞれ異なる識別子が付加された複数のコードブロックにより構成されている信号を受信する通信部１１１と、前記コードブロック毎に、当該コードブロックに付加された誤り検出符号を用いて符号誤りの有無を検出し、符号誤りが検出されたコードブロックを再送対象として特定し、前記再送対象のコードブロックのみの再送を要求する制御部１１３とを有する。【選択図】図１
2012028875.tif 000002
【特許請求の範囲】
【請求項１】
データを復号する通信装置において、
データを復号するための複数のコードブロックであって、誤り検出符号及びそれぞれ異なる識別子が付加された複数のコードブロックにより構成されている信号を受信する通信部と、
前記コードブロック毎に、当該コードブロックに付加された誤り検出符号を用いて符号誤りの有無を検出し、符号誤りが検出されたコードブロックを再送対象として特定し、前記再送対象のコードブロックのみの再送を要求する制御部と
を有する通信装置。
【請求項２】
請求項１に記載の通信装置において、前記制御部は、更に、前記再送対象のコードブロックが複数存在する場合、データが正しく復号されるまでの再送要求回数が前記再送対象のコードブロックの数より少なくなるようコードブロックの再送優先順位を決定することを特徴とする通信装置。
【請求項３】
請求項１又は２に記載の通信装置において、前記制御部は、更に、各コードブロックに関する変調クラス及び通信品質に基づいて、コードブロック毎に誤り検出を行うべきか否かを判定し、誤り検出を行うべきではないと判定されたコードブロックを前記再送対象に設定することを特徴とする通信装置。
【請求項４】
データを復号する通信装置における通信方法において、
データを復号するための複数のコードブロックであって、誤り検出符号及びそれぞれ異なる識別子が付加された複数のコードブロックにより構成されている信号を受信するステップと、
前記コードブロック毎に、当該コードブロックに付加された誤り検出符号を用いて符号誤りの有無を検出するステップと、
符号誤りが検出されたコードブロックを再送対象として特定するステップと、
前記再送対象のコードブロックのみの再送を要求するステップと
を含む通信方法。
【発明の詳細な説明】
【技術分野】
【０００１】
本発明は、通信装置及び通信方法に関し、特に再送要求処理の効率を高める通信装置及び通信方法に関するものである。
【背景技術】
【０００２】
無線通信システムでは、有線通信システムと比較して伝送誤りが頻繁に発生する。そのため、無線通信システムでは、通信の信頼性を向上させるために、受信情報の誤り検出に基づく再送制御が一般に用いられている。この制御では、送信側がデータに誤り検出符号を付加して伝送し、受信側は、この誤り検出符号に基づいて、伝送途中で生じた伝送データの誤りを検出する。誤り検出符号としては、例えばＣＲＣ（Cyclic Redundancy Check：巡回冗長検査）が用いられる。誤りが検出された場合には送信側へ情報の再送を要求し、送信側が情報を再送する。
【０００３】
この再送制御における処理量削減を目的として、従来技術に、送信データを複数のコードブロックに分割し、分割された各コードブロックに誤り検出符号を付加するものがある（例えば、特許文献１参照）。特許文献１に記載の発明について、図６を用いて簡単に説明する。
【０００４】
図６（ａ）及び（ｂ）は、それぞれ、特許文献１における送信機及び受信機のブロック図である。図６（ａ）に示されるように、特許文献１における受信機は、コードブロック分割部６０１、ＣＲＣ付加部（誤り検出符号付加部）６０２、誤り訂正符号化部６０３、インタリーブ部６０４及びマッピング部６０５を備える。コードブロック分割部６０１は、送信データを複数のコードブロックに分割する。誤り検出符合付加部６０２は、コードブロックに分割された各データに、誤り検出を行うためのパリティビット（ＣＲＣ）を付加する。誤り訂正符号化部６０３は、パリティビットが付加された各データに誤り訂正符号化処理を行う。インタリーブ部６０４は、誤り訂正符号化されたデータにインタリーブ処理を行う。マッピング部６０５は、上記の処理が行われた各コードブロックを物理チャネルにマッピングする。また、図６（ｂ）に示す特許文献１における受信機は、デマッピング部６０９、デインタリーブ部６１０、誤り訂正復号部６１１、誤り検出部６１２及びコードブロック接続部６１３を備え、受信したデータに対して送信機と逆の処理を行う。すなわち、デマッピング部６０９で各コードブロックに分割された受信データに対して、デインタリーブ、誤り訂正復号、誤り検出を行い、各コードブロックを接続して受信データとする。なお、誤り検出器６１２で、１個以上のコードブロックに誤りが検出された場合は、再送要求処理が行われる。
【先行技術文献】
【特許文献】
【０００５】
【特許文献１】特開２００６−２０３３５５号公報
【発明の概要】
【発明が解決しようとする課題】
【０００６】
しかし、従来技術では、受信データに誤りがあった場合、受信機は、誤りのあったコードブロックのみではなく、分割された受信データ全体（分割前の送信データを構成する全てのコードブロック）の再送を要求しなければならない。そのため、あるコードブロックのＣＲＣ検査結果がエラーであったことにより、ＣＲＣエラーが発生しなかったコードブロックも再送されることがある。誤りのないコードブロックの再送は無駄な処理である。
【０００７】
従って、上記のような問題点に鑑みてなされた本発明の目的は、コードブロック毎に再送要求する通信装置及び通信方法を提供することである。
【課題を解決するための手段】
【０００８】
上述した諸課題を解決すべく、第１の発明による通信装置は、
データを復号する通信装置において、
データを復号するための複数のコードブロックであって、誤り検出符号及びそれぞれ異なる識別子が付加された複数のコードブロックにより構成されている信号を受信する通信部と、
前記コードブロック毎に、当該コードブロックに付加された誤り検出符号を用いて符号誤りの有無を検出し、符号誤りが検出されたコードブロックを再送対象として特定し、前記再送対象のコードブロックのみの再送を要求する制御部と
を有する
を含むものである。
【０００９】
また、前記制御部は、更に、前記再送対象のコードブロックが複数存在する場合、データが正しく復号されるまでの再送要求回数が前記再送対象のコードブロックの数より少なくなるようコードブロックの再送優先順位を決定することが望ましい。
【００１０】
また、前記制御部は、更に、各コードブロックに関する変調クラス及び通信品質に基づいて、コードブロック毎に誤り検出を行うべきか否かを判定し、誤り検出を行うべきではないと判定されたコードブロックを前記再送対象に設定することが望ましい。
【００１１】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１２】
例えば、第１の発明を方法として実現させた通信方法は、
データを復号する通信装置における通信方法において、
データを復号するための複数のコードブロックであって、誤り検出符号及びそれぞれ異なる識別子が付加された複数のコードブロックにより構成されている信号を受信するステップと、
前記コードブロック毎に、当該コードブロックに付加された誤り検出符号を用いて符号誤りの有無を検出するステップと、
符号誤りが検出されたコードブロックを再送対象として特定するステップと、
前記再送対象のコードブロックのみの再送を要求するステップと
を含むものである。
【発明の効果】
【００１３】
上記のように構成された本発明にかかる通信装置及び通信方法によれば、コードブロック毎に識別子が付され、符号誤りのあるコードブロックが再送対象として特定される。そして、再送対象のコードブロックのみの再送が要求される。無駄な処理である誤りのないコードブロックの再送処理は行われないため、再送要求処理の効率を高めることが可能となる。
【図面の簡単な説明】
【００１４】
【図１】図１は、本発明の一実施形態に係る概略的な通信ネットワーク図である。
【図２】図２は、本発明の一実施形態に係る基地局の概略構成を示す機能ブロック図である。
【図３】図３は、本発明の一実施形態の説明で用いられるデータの説明図である。
【図４】図４は、本発明の一実施形態に係る基地局の処理を示すフローチャートである。
【図５】図５は、本発明の一実施形態に係る受信状態表である。
【図６】図６は、特許文献１における送信機及び受信機のブロック図である。
【発明を実施するための形態】
【００１５】
以下、諸図面を参照しながら、本発明の一実施形態に係る通信装置を詳細に説明する。通信装置としては、例えば、基地局、無線通信端末（例えば、携帯電話端末、ノートパソコン、ＰＤＡ（パーソナルデジタルアシスタンス）、携帯ゲーム機、携帯オーディオプレーヤー、携帯ビデオプレイヤー、携帯電子辞書、携帯電子書籍ビューワーなどの携帯電子機器等）があげられる。以下、本実施形態では、通信装置は基地局であり、符号化されたデータを復号するものである。
【００１６】
図１は、本発明の一実施形態に係る概略的な通信ネットワーク図である。通信ネットワーク１１は、基地局１０１と、無線通信端末１０３とから構成されている。基地局１０１と無線通信端末１０３とは、無線リンクを確立して通信を行う。通信ネットワーク１１には、ＨＡＲＱ（Hybrid Automatic Repeat reQuest：ハイブリッドＡＲＱ）技術が用いられているとする。ＨＡＲＱとは、無線通信システムにおける受信側が誤ったデータ（パケット）を受信した場合に、送信側に対しそのデータ（誤ったパケット）を再度送信するように要求する制御である自動再送要求（ＡＲＱ）と、以前に受信したデータと新たに再送されたデータとの合成データに対して誤り訂正復号を行う前方誤り訂正符号（ＦＥＣ：Forward Error Correction code）とが組み合わされたものである。ＨＡＲＱは、３ＧＰＰ（Third Generation Partnership Project）の規格であるＴＳ２５．２１２に掲載されているＨＳＤＰＡ（High Speed Downlink Packet Access）方式等で採用されている。
【００１７】
図２は、本発明の一実施形態に係る基地局の概略構成を示す機能ブロック図である。本実施形態に係る基地局１０１は、通信部１１１と、記憶部１１２と、制御部１１３とを有している。
【００１８】
通信部１１１は、無線通信端末１０３と各種信号を送受信するものである。記憶部１１２は、コードブロック自体やコードブロックの識別子などの各種情報を記憶するものであり、ワークメモリなどとしても機能する。制御部１１３は、基地局１０１の各機能ブロックをはじめとして基地局１０１の全体を制御及び管理する。ここで、制御部１１３は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることができる。制御部１１３の行う処理については、後述の図４の説明にて詳述する。
【００１９】
以下、基地局の処理について図３及び図４を用いて説明する。図３は、本発明の一実施形態の説明で用いられるデータの説明図である。図４は、本発明の一実施形態に係る基地局の処理を示すフローチャートである。
【００２０】
まず、図３について説明する。図３では、無線通信端末１０３が基地局１０１に送信すべきデータがデータＤで表現されている。この場合、ＨＡＲＱ技術においては、データＤに誤り訂正用の冗長ビット（誤り訂正符合）Ｒが付加され、トランスポートブロックＴＢが規定される。誤り訂正符合は、例えば、ターボ符号、ＬＤＰＣ（low-density parity-check code：低密度パリティ検査符号）等のブロック符号及び畳み込み符号がある。
【００２１】
そして、無線通信端末１０３は、一回に送信できるサイズが制限されている関係上、トランスポートブロックＴＢを分割して基地局１０１に送信することになる。この一回の送信単位をセグメント（請求項における信号）と称する。図３のセグメントＳ１及びＳ２は、分割されたトランスポートブロックＴＢの一部を示している。なお、図３のセグメントＳ１及びＳ２は、それぞれトランスポートブロックＴＢの異なる位置の情報を有しているが、セグメント同士は、重なり合って一部の情報を共有していてもよい。
【００２２】
セグメントは、トランスポートブロックＴＢのデータＤを復号するための複数のコードブロックから構成されている。例えば、図３のセグメントＳ１及びＳ２は、それぞれＣＢ１−１〜ＣＢ１−６、ＣＢ２−１〜ＣＢ２−６から構成されている。なお、セグメントを構成するコードブロックは６個に限定されるわけではない。各コードブロックには、誤り検出符号が付加されている。誤り検出符号は、例えば、ＣＲＣやパリティ符号である。以下、本実施形態では、誤り検出符号はＣＲＣであるとする。また、各コードブロックには、無線通信端末１０３により、コードブロックを識別するための識別子が付加されている。当該識別子は、コードブロックの属しているセグメントの情報も含むものである。例えば、セグメントＳ１の２つ目のコードブロックには１−２、セグメントＳ２の６つ目のコードブロックには２−６といった識別子を設定することができる。更に、コードブロック毎には、無線通信端末１０３により、ＮＤＩ（New Data Indicator）が付加されている。ＮＤＩは、無線通信端末１０３による送信が初送であるか再送であるかを示すものであり、初送毎に、ＮＤＩの値として０と１が入れ替わる。ここで、初送とは、復号によりデータを取り出すために行われる最初のセグメントの送信を指す。再送とは、初送のセグメントの復号でデータが取り出せなかった場合に行われる、最初のセグメントの一部のコードブロックの送信又は最初のセグメントとは別のセグメントの送信を指す。例えば、初送セグメントＳ１のコードブロックＣＢ１−１〜ＣＢ１−６のＮＤＩの値が０であり、コードブロックＣＢ１−１を再送する場合、再送コードブロックＣＢ１−１のＮＤＩの値は０となる。また、トランスポートブロックＴＢの一部であり、初送セグメントＳ１とは別のセグメントＳ２が再送される場合も、再送セグメントＳ２の全てのコードブロックＣＢ２−１〜ＣＢ２−６のＮＤＩの値は０となる。そして、データＤが取り出され次のデータ送信の処理に移ると、次のデータ送信におけるコードブロックのＮＤＩの値は１となる。
【００２３】
セグメントＳはトランスポートブロックＴＢの一部だが、送信すべきデータ自体がトランスポートブロックＴＢの一部であるため、トランスポートブロックＴＢを構成する全てのセグメントが揃わなくても、一部のセグメント又は一部のコードブロックの復号によりデータＤを取り出せる場合がある。
【００２４】
続いて、図４を用いて、本発明の一実施形態に係る基地局の処理を説明する。復号されるべきデータは図３のデータＤであり、無線通信端末１０３は、初送としてセグメントＳ１を基地局１０１に送信するとする。
【００２５】
まず、基地局１０１の通信部１１１が無線通信端末１０３から信号を受信すると、制御部１１３は、受信信号がセグメントであるか否か判断する（ステップＳ１０１）。通信部１１１は初送としてセグメントＳ１を受信するので（ステップＳ１０１のＹｅｓ）、制御部１１３は、セグメントＳ１を複数のコードブロックに分割する（ステップＳ１０２）。
【００２６】
そして、制御部１１３は、コードブロック毎にループ処理Ｓ１０３〜Ｓ１１０を行う。制御部１１３は、コードブロック毎にコードブロック受信時の通信品質、例えばＳＩＮＲ（Signal to Interference and Noise power Ratio：信号対干渉雑音電力比）及びＲＳＳＩ（Received Signal Strength Indicator：受信信号強度）を算出することができる（ステップＳ１０４）。また、制御部１１３は、受信したコードブロック毎に適用されている変調クラスを確認することができる（ステップＳ１０５）。
【００２７】
続いて、制御部１１３は、コードブロック毎に、復号（デコード）して誤り検出を行うべきコードブロックであるか否かを判定することができる（ステップＳ１０６）。当該判定は、符号誤りを有している可能性の高いコードブロック、つまり復号してもＣＲＣ検査結果がエラーとなる可能性の高いコードブロックを予め特定するためのものである。この判定は、例えば、各コードブロックに関する変調クラス及び通信品質に基づいて行われる。当該判定方法を図５の受信状態表を用いて説明する。
【００２８】
図５のＭＣＳ（Modulation and Coding Scheme：変調及び符合化方式）は、変調方式及びコーディングレートの組み合わせにより規定される変調クラスを意味するものである。変調方式は、例えば、１シンボルで１ビット伝送できるＢＰＳＫ（Binary Phase Shift Keying）、１シンボルで２ビット伝送できるＱＰＳＫ（Quadrature Phase Shift Keying）、１シンボルで３ビット伝送できる８ＰＳＫ（8 Phase Shift Keying）である。１シンボルで伝送できるビット数が多いほど（伝送速度の高い変調方式であるほど）、良好な通信環境が要求される。コーディングレートとは、エラー訂正の強度を示すもの、つまりデータを割り当てる割合を指している。例えば、コーディングレートが３／４とは、信号の３／４がデータであり、１／４が誤り訂正用の冗長ビットであることを意味する。よって、コーディングレートが大きいほど、誤り訂正用に割り当てられる冗長ビットが少ないため、良好な通信環境が要求される。ＭＣＳの値が大きいほど、伝送速度の高い変調方式と大きなコーディングレートとが組み合わされた変調クラスであることを意味する。つまり、ＭＣＳの値が大きいほど、良好な通信環境が要求される。通信環境Ａ〜Ｚは、Ａが最も通信環境が良く、Ｚが最も通信環境が悪いことを意味している。通信環境の基準については、ＳＩＮＲやＲＳＳＩなどの通信品質を示すパラメータにより定められるものである。例えば、通信環境Ａを、ＳＩＮＲの値が２５ｄＢ以上且つＲＳＳＩの値が−４０ｄＢ以上である環境と設定することができる。通信環境Ａ〜Ｚそれぞれにおいて、使用可能な（安定した通信が保証される）変調クラスには「ＯＫ」、使用不可能な変調クラスには「ＮＧ」が記されている。つまり、ステップＳ１０５で制御部１１３により確認されたコードブロックに関する変調クラスが、ステップＳ１０４で取得された通信品質から「ＮＧ」と判定された場合、このコードブロックが符号誤りを有している可能性は高いと判断できる。
【００２９】
そして、制御部１１３は、誤り検出を行うべきと判定されたコードブロックを復号し、当該コードブロックに付された誤り検出符号を用いて符合誤りの有無を検出する（ステップＳ１０７）。つまり、制御部１１３はＣＲＣ検査を行う。符合誤りが無ければ、ＣＲＣ検査結果は「エラー」となり、符合誤りが有れば、ＣＲＣ検査結果は「正常」となる。そして、あるコードブロックのＣＲＣ検査結果が正常であると、制御部１１３は、当該コードブロックをターボ復号対象に設定する（ステップＳ１０８）。そして、制御部１１３は、ターボ復号対象のコードブロックを記憶部１１２に記憶させる。なお、ターボ復号とは、データＤを取り出すために、ターボ復号対象に設定された複数のコードブロック全体に対して行われるものであり、ステップＳ１０７のために行われるコードブロック毎の復号とは異なるものである。
【００３０】
制御部１１３は、ステップＳ１０６において誤り検出を行うべきではないと判定されたコードブロック及びステップＳ１０７においてＣＲＣ検査結果がエラーであったコードブロックを識別子により特定し、再送対象に設定する（ステップＳ１０９）。そして、制御部１１３は、再送対象のコードブロックの識別子を記憶部１１２に記憶させる。以下、本実施形態では、再送対象のコードブロックは、図３のコードブロックＣＢ１−２であるとする。識別子は、例えば１−２である。
【００３１】
制御部１１３は、全てのコードブロックに対してループ処理Ｓ１０３〜Ｓ１１０を行うと、受信信号は初送セグメントであるか否か判断する（ステップＳ１１１）。受信信号は初送セグメントＳ１であるので（ステップＳ１１１のＹｅｓ）、制御部１１３は、記憶部１１２に記憶されているターボ復号対象のコードブロック全体に対してターボ復号を行う（ステップＳ１１２）。受信信号が初送セグメントでない場合（ステップＳ１１１のＮｏ）、つまり受信信号が再送によるセグメント又はコードブロックである場合、制御部１１３は、過去の信号受信により記憶部１１２に記憶されたターボ復号対象のコードブロックと今回の信号受信でターボ復号対象に設定されたコードブロックとを合成（ＨＡＲＱ合成）する（ステップＳ１１３）。そして、制御部１１３は、合成されたブロックに対してターボ復号を行う（ステップＳ１１２）。
【００３２】
そして、制御部１１３は、復号されたコードブロック全体に対してＣＲＣ検査を行う（ステップＳ１１４）。ＣＲＣ検査結果が正常であると（ステップＳ１１４の正常）、データＤが取り出せたことを意味するので、制御部１１３は、通信部１１１を介して、データＤを正しく受信できたことを示すＡｃｋ信号を無線通信端末１０３に送信する（ステップＳ１１５）。
【００３３】
ステップＳ１１４において、ＣＲＣ検査結果がエラーであると、制御部１１３は、通信部１１１を介して、再送要求を含むＮａｃｋ信号を無線通信端末１０３に送信する（ステップＳ１１６）。再送要求の例を以下に示す。制御部１１３は、記憶部１１２に記憶されている識別子（１−２）により特定される、再送対象のコードブロック（ＣＢ１−２）のみの再送を無線通信端末１０３に要求することができる。また、制御部１１３は、セグメントＳ１とは、別のセグメント（例えばセグメントＳ２）の再送を無線通信端末１０３に要求することができる。
【００３４】
ステップＳ１１６において、再送対象のコードブロックが複数存在する場合、制御部１１３は、データＤが正しく復号されるまで（ステップＳ１１４のＣＲＣ検査結果が正常になるまで）の再送要求回数が再送対象のコードブロックの数より少なくなるように再送優先順位を定めることができる。例えば、制御部１１３は、初送により再送対象に設定されたコードブロックに最も高い再送優先順位を設定することができる。ＨＡＲＱがＩＲ（Incremental Redundancy）合成法に基づくＨＡＲＱである場合、トランスポートブロックＴＢのデータＤは初送セグメントに含められ、再送セグメントは、パンクチャ（情報の間引き送信）により通常送信されなかった誤り訂正用の冗長ビットＲの一部で構成されている。そのため、データ自体を多く含む初送セグメントに関するコードブロックに高い優先順位を設定することにより、ステップＳ１１４で正常の結果が得られる可能性は高くなると考えられる。また、制御部１１３は、受信時の通信品質の良かったコードブロックに高い再送優先順位を設定することができる。通信品質が良いコードブロックほど、再送においても良い通信品質で無線通信端末１０３から送られてくると考えられる。そして、通信品質が良いほど、符合誤りが発生する可能性は低くなる。つまり、受信時の通信品質の良かったコードブロックの再送によりステップＳ１１４で正常の結果が得られる可能性は高くなると考えられる。
【００３５】
このように本実施形態では、基地局１０１の制御部１１３は、コードブロック毎に、当該コードブロックに付加された誤り検出符号を用いて符号誤り（エラー）の有無を検出し、符号誤りが検出されたコードブロックを再送対象として特定し、前記再送対象のコードブロックのみの再送を無線通信端末１０３に要求する。つまり、コードブロック毎に付されている識別子を用いることにより、符号誤りを有するコードブロックのみの再送要求が可能となる。符号誤りのないコードブロックの再送は行われないため、再送要求処理の効率を高めることが可能となる。
【００３６】
また、本実施形態では、制御部１１３は、再送対象のコードブロックが複数存在する場合、データＤが正しく復号されるまでの再送要求回数が前記再送対象のコードブロックの数より少なくなるようにコードブロックの再送優先順位を決定することができる。つまり、データ量の多いコードブロックから、又は誤りなく受信できる可能性の高いコードブロックから再送要求することにより、データＤが正しく復号されるまでの再送要求回数を減らすことが可能である。再送要求回数の減少により、再送要求を行うために必要な時間及び演算量を低減することができ、再送要求処理の更に効率を高めることが可能となる。
【００３７】
また、本実施形態では、制御部１１３は、各コードブロックに関する変調クラス及び通信品質に基づいて、コードブロック毎に誤り検出を行うべきか否かを判定し、誤り検出を行うべきではないと判定されたコードブロックを再送対象に設定することができる。つまり、変調クラス及び通信品質から符号誤りを有している可能性の高いコードブロックは、復号及びＣＲＣ検査が行われることなく再送対象に決定される。復号及びＣＲＣ検査の処理の削減により、復号及びＣＲＣ検査に必要な時間及び演算量を低減することができる。よって、再送要求処理の効率を更に高めることができる。
【００３８】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各機能部、各ステップなどに含まれる機能などは論理的に矛盾しないように再配置可能であり、複数の機能部やステップなどを１つに組み合わせたり、或いは分割したりすることが可能である。
【符号の説明】
【００３９】
１１  通信ネットワーク
１０１  基地局
１０３  無線通信端末
１１１  通信部
１１２  記憶部
１１３  制御部
ＴＢ  トランスポートブロック
Ｄ  データ
Ｒ  冗長ビット
Ｓ１、Ｓ２  セグメント
ＣＢ１−１〜ＣＢ１−６、ＣＢ２−１〜ＣＢ２−６  コードブロック
【図１】
2012028875.tif 000003
【図２】
2012028875.tif 000004
【図３】
2012028875.tif 000005
【図４】
2012028875.tif 000006
【図５】
2012028875.tif 000007
【図６】
2012028875.tif 000008